【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
記録媒体に記録した動画像データを再生する画像処理装置であって、
該装置の姿勢を検知する姿勢検知手段と、
動画像データの再生開始前に、前記姿勢検知手段により検知される最新の姿勢情報に基づいて回転処理した停止動画表示を行い、該動画像データの再生開始後には、前記停止動画表示の回転方向のまま該動画像データの再生を行うように制御する制御手段とを備えたことを特徴とする画像処理装置。
【請求項２】
記録媒体に記録した動画像データを再生する画像処理装置であって、
該装置の姿勢を検知する姿勢検知手段と、
動画像データの再生開始から予め定められた時間内には、前記姿勢検知手段により検知される最新の姿勢情報に基づいて該動画像データの回転処理を行い、前記予め定められた時間を超えると、回転方向を固定して該動画像データの再生を行うように制御する制御手段とを備えたことを特徴とする画像処理装置。
【請求項３】
撮像手段により取得される動画像データを記録媒体に記録し、記録媒体に記録した動画像データを再生する画像処理装置であって、
該装置の姿勢を検知する姿勢検知手段と、
前記姿勢検知手段により検知された動画像データの記録開始時の姿勢情報を記録する記録媒体と、
動画像データの再生開始前に、前記姿勢検知手段により検知される最新の姿勢情報、及び、前記記録媒体に記録された該動画像データの記録開始時の姿勢情報に基づいて回転処理した停止動画表示を行い、該動画像データの再生開始後には、前記停止動画表示の回転方向のまま該動画像データの再生を行うように制御する制御手段とを備えたことを特徴とする画像処理装置。
【請求項４】
撮像手段により取得される動画像データを記録媒体に記録し、記録媒体に記録した動画像データを再生する画像処理装置であって、
該装置の姿勢を検知する姿勢検知手段と、
前記姿勢検知手段により検知された動画像データの記録開始時の姿勢情報を記録する記録媒体と、
動画像データの再生開始から予め定められた時間内には、前記姿勢検知手段により検知される最新の姿勢情報、及び、前記記録媒体に記録された該動画像データの記録開始時の姿勢情報に基づいて該動画像データの回転処理を行い、前記予め定められた時間を超えると、回転方向を固定して該動画像データの再生を行うように制御する制御手段とを備えたことを特徴とする画像処理装置。
【請求項５】
記録媒体に記録した動画像データを再生する画像処理装置の制御方法であって、
動画像データの再生開始前に、前記画像処理装置の姿勢を検知する姿勢検知手段により検知される最新の姿勢情報に基づいて回転処理した停止動画表示を行い、該動画像データの再生開始後には、前記停止動画表示の回転方向のまま該動画像データの再生を行うことを特徴とする画像処理装置の制御方法。
【請求項６】
記録媒体に記録した動画像データを再生する画像処理装置の制御方法であって、
動画像データの再生開始から予め定められた時間内には、前記画像処理装置の姿勢を検知する姿勢検知手段により検知される最新の姿勢情報に基づいて該動画像データの回転処理を行い、前記予め定められた時間を超えると、回転方向を固定して該動画像データの再生を行うことを特徴とする画像処理装置の制御方法。
【請求項７】
撮像手段により取得される動画像データを記録媒体に記録し、記録媒体に記録した動画像データを再生する画像処理装置の制御方法であって、
前記画像処理装置の姿勢を検知する姿勢検知手段により検知された動画像データの記録開始時の姿勢情報を記録媒体に記録する手順と、
動画像データの再生開始前に、前記姿勢検知手段により検知される最新の姿勢情報、及び、前記記録媒体に記録された該動画像データの記録開始時の姿勢情報に基づいて回転処理した停止動画表示を行い、該動画像データの再生開始後には、前記停止動画表示の回転方向のまま該動画像データの再生を行う手順とを有することを特徴とする画像処理装置の制御方法。
【請求項８】
撮像手段により取得される動画像データを記録媒体に記録し、記録媒体に記録した動画像データを再生する画像処理装置の制御方法であって、
前記画像処理装置の姿勢を検知する姿勢検知手段により検知された動画像データの記録開始時の姿勢情報を記録媒体に記録する手順と、
動画像データの再生開始から予め定められた時間内には、前記姿勢検知手段により検知される最新の姿勢情報、及び、前記記録媒体に記録された該動画像データの記録開始時の姿勢情報に基づいて該動画像データの回転処理を行い、前記予め定められた時間を超えると、回転方向を固定して該動画像データの再生を行う手順とを有することを特徴とする画像処理装置の制御方法。
【請求項９】
記録媒体に記録した動画像データを再生する画像処理装置を制御するコンピュータプログラムであって、
動画像データの再生開始前に、前記画像処理装置の姿勢を検知する姿勢検知手段により検知される最新の姿勢情報に基づいて回転処理した停止動画表示を行い、該動画像データの再生開始後には、前記停止動画表示の回転方向のまま該動画像データの再生を行う処理をコンピュータに実行させるためのコンピュータプログラム。
【請求項１０】
記録媒体に記録した動画像データを再生する画像処理装置を制御するコンピュータプログラムであって、
動画像データの再生開始から予め定められた時間内には、前記画像処理装置の姿勢を検知する姿勢検知手段により検知される最新の姿勢情報に基づいて該動画像データの回転処理を行い、前記予め定められた時間を超えると、回転方向を固定して該動画像データの再生を行う処理をコンピュータに実行させるためのコンピュータプログラム。
【請求項１１】
撮像手段により取得される動画像データを記録媒体に記録し、記録媒体に記録した動画像データを再生する画像処理装置を制御するコンピュータプログラムであって、
前記画像処理装置の姿勢を検知する姿勢検知手段により検知された動画像データの記録開始時の姿勢情報を記録媒体に記録する処理と、
動画像データの再生開始前に、前記姿勢検知手段により検知される最新の姿勢情報、及び、前記記録媒体に記録された該動画像データの記録開始時の姿勢情報に基づいて回転処理した停止動画表示を行い、該動画像データの再生開始後には、前記停止動画表示の回転方向のまま該動画像データの再生を行う処理とをコンピュータに実行させるためのコンピュータプログラム。
【請求項１２】
撮像手段により取得される動画像データを記録媒体に記録し、記録媒体に記録した動画像データを再生する画像処理装置を制御するコンピュータプログラムであって、
前記画像処理装置の姿勢を検知する姿勢検知手段により検知された動画像データの記録開始時の姿勢情報を記録媒体に記録する処理と、
動画像データの再生開始から予め定められた時間内には、前記姿勢検知手段により検知される最新の姿勢情報、及び、前記記録媒体に記録された該動画像データの記録開始時の姿勢情報に基づいて該動画像データの回転処理を行い、前記予め定められた時間を超えると、回転方向を固定して該動画像データの再生を行う処理とをコンピュータに実行させるためのコンピュータプログラム。
【請求項１３】
請求項９〜１２のいずれか１項に記載のコンピュータプログラムを記録したコンピュータ読み取り可能な記憶媒体。
【手続補正２】
【補正対象書類名】明細書
【補正対象項目名】０００９
【補正方法】変更
【補正の内容】
【０００９】
上記問題を解決するために本発明に係る画像処理装置は、記録媒体に記録した動画像データを再生する画像処理装置であって、該装置の姿勢を検知する姿勢検知手段と、動画像データの再生開始前に、前記姿勢検知手段により検知される最新の姿勢情報に基づいて回転処理した停止動画表示を行い、該動画像データの再生開始後には、前記停止動画表示の回転方向のまま該動画像データの再生を行うように制御する制御手段とを備えたことを特徴とするものである。
【手続補正３】
【補正対象書類名】明細書
【補正対象項目名】００１０
【補正方法】変更
【補正の内容】
【００１０】
また、上記問題を解決するために本発明に係る別の画像処理装置は、記録媒体に記録した動画像データを再生する画像処理装置であって、該装置の姿勢を検知する姿勢検知手段と、動画像データの再生開始から予め定められた時間内には、前記姿勢検知手段により検知される最新の姿勢情報に基づいて該動画像データの回転処理を行い、前記予め定められた時間を超えると、回転方向を固定して該動画像データの再生を行うように制御する制御手段とを備えたことを特徴とするものである。
【手続補正４】
【補正対象書類名】明細書
【補正対象項目名】００１１
【補正方法】変更
【補正の内容】
【００１１】
また、上記問題を解決するために本発明に係る別の画像処理装置は、撮像手段により取得される動画像データを記録媒体に記録し、記録媒体に記録した動画像データを再生する画像処理装置であって、該装置の姿勢を検知する姿勢検知手段と、前記姿勢検知手段により検知された動画像データの記録開始時の姿勢情報を記録する記録媒体と、動画像データの再生開始前に、前記姿勢検知手段により検知される最新の姿勢情報、及び、前記記録媒体に記録された該動画像データの記録開始時の姿勢情報に基づいて回転処理した停止動画表示を行い、該動画像データの再生開始後には、前記停止動画表示の回転方向のまま該動画像データの再生を行うように制御する制御手段とを備えたことを特徴とするものである。
【手続補正５】
【補正対象書類名】明細書
【補正対象項目名】００１２
【補正方法】変更
【補正の内容】
【００１２】
また、上記問題を解決するために本発明に係る別の画像処理装置は、撮像手段により取得される動画像データを記録媒体に記録し、記録媒体に記録した動画像データを再生する画像処理装置であって、該装置の姿勢を検知する姿勢検知手段と、前記姿勢検知手段により検知された動画像データの記録開始時の姿勢情報を記録する記録媒体と、動画像データの再生開始から予め定められた時間内には、前記姿勢検知手段により検知される最新の姿勢情報、及び、前記記録媒体に記録された該動画像データの記録開始時の姿勢情報に基づいて該動画像データの回転処理を行い、前記予め定められた時間を超えると、回転方向を固定して該動画像データの再生を行うように制御する制御手段とを備えたことを特徴とするものである。
【手続補正６】
【補正対象書類名】明細書
【補正対象項目名】００１３
【補正方法】変更
【補正の内容】
【００１３】
本発明によれば、動画像の再生途中に姿勢変化を検出したときでも、使用者にとって再生された動画像が見やすいという効果を奏することができる。